(57)【要約】【課題】複数のワイヤレスマイクシステムのカバーエリアに共存エリアが存在する環境下でも、それぞれのワイヤレスマイクシステム間での無線同期を的確に実現する。【解決手段】複数の第１子受信機のうち基準となる第１子受信機は、第１受信機セグメントと第２受信機セグメントとの同期を制御するための無線制御信号を繰り返し送信し、複数の第２子受信機のうち基準となる第２子受信機は、無線制御信号に同期して自己の第２受信機セグメント内で同期するための基準タイミング信号を第２親受信機に送信し、第２親受信機は、基準タイミング信号に応じて、自己の第２受信機セグメント内で無線同期するための同期タイミング信号を、自己の第２受信機セグメント内の他の第２子受信機に送信する。【選択図】図８
2019149645.tif 000002
【特許請求の範囲】
【請求項１】
それぞれ１つ以上のマイクと無線通信可能な複数の第１子受信機と、前記複数の第１子受信機と接続された第１親受信機とを有する第１受信機セグメントと、
それぞれ１つ以上のマイクと無線通信可能な複数の第２子受信機と、前記複数の第２子受信機と接続された第２親受信機とを有する、少なくとも１つの第２受信機セグメントと、を備え、
前記複数の第１子受信機のうち基準となる第１子受信機は、
前記第１受信機セグメントと前記第２受信機セグメントとの同期を制御するための無線制御信号を繰り返し送信し、
前記複数の第２子受信機のうち基準となる第２子受信機は、
前記無線制御信号に同期して自己の前記第２受信機セグメント内で同期するための基準タイミング信号を前記第２親受信機に送信し、
前記第２親受信機は、
前記基準タイミング信号に応じて、自己の前記第２受信機セグメント内で同期するための同期タイミング信号を、自己の前記第２受信機セグメント内の他の第２子受信機に送信する、
ワイヤレスマイクシステム。
【請求項２】
前記基準となる第１子受信機は、
前記基準タイミング信号を前記第１親受信機に送信し、
前記第１親受信機は、
前記基準タイミング信号に応じて、自己の前記第１受信機セグメント内で同期するための同期タイミング信号を、自己の前記第１受信機セグメント内の他の第１子受信機に送信する、
請求項１に記載のワイヤレスマイクシステム。
【請求項３】
前記他の第１子受信機及び前記他の第２子受信機は、
前記同期タイミング信号に基づいて同期し、前記マイクとの無線通信に用いるフレームの開始位置を調整する、
請求項２に記載のワイヤレスマイクシステム。
【請求項４】
前記第１親受信機は、
それぞれ自己と接続される前記複数の第１子受信機との間の信号の伝送遅延時間情報を前記複数の第１子受信機毎に保持し、
前記複数の第１子受信機毎の前記伝送遅延時間情報に基づいて、前記同期タイミング信号を送信する、
請求項１に記載のワイヤレスマイクシステム。
【請求項５】
前記第１親受信機は、
複数の前記第１子受信機のそれぞれからの信号線が接続される複数の端子を有し、
前記複数の端子のうち、所定の端子に前記信号線が接続された第１子受信機を、前記基準となる第１子受信機に設定する、
請求項１〜４のうちいずれか一項に記載のワイヤレスマイクシステム。
【請求項６】
前記第１親受信機は、
ユーザ入力を受け付け可能な設定部を有し、
前記設定部で受け付けられた設定情報に基づいて、前記基準となる第１子受信機を設定する、
請求項１〜４のうちいずれか一項に記載のワイヤレスマイクシステム。
【請求項７】
前記第１親受信機は、
外部機器と接続可能な接続部を有し、
前記外部機器から送信された設定情報に基づいて、前記基準となる第１子受信機を設定する、
請求項１〜４のうちいずれか一項に記載のワイヤレスマイクシステム。
【請求項８】
それぞれ１つ以上のマイクと無線通信可能な複数の第１子受信機と、前記複数の第１子受信機と接続された第１親受信機とを有する第１受信機セグメントと、
それぞれ１つ以上のマイクと無線通信可能な複数の第２子受信機と、前記複数の第２子受信機と接続された第２親受信機とを有する、少なくとも１つの第２受信機セグメントと、を備えたワイヤレスマイクシステムにおける無線同期方法であって、
前記複数の第１子受信機のうち基準となる第１子受信機は、
前記第１受信機セグメントと前記第２受信機セグメントとの同期を制御するための無線制御信号を繰り返し送信し、
前記複数の第２子受信機のうち基準となる第２子受信機は、
前記無線制御信号に同期して自己の前記第２受信機セグメント内で同期するための基準タイミング信号を前記第２親受信機に送信し、
前記第２親受信機は、
前記基準タイミング信号に応じて、自己の前記第２受信機セグメント内で同期するための同期タイミング信号を、自己の前記第２受信機セグメント内の他の第２子受信機に送信する、
無線同期方法。
【請求項９】
１つ以上のマイクと無線通信可能な受信機であって、
１つ以上のマイクと無線通信可能であって、かつ、前記受信機が配置される自セグメントとは異なる少なくとも１つの他セグメントに配置される他受信機との間で無線通信する無線通信部と、
前記自セグメントと前記他セグメントとの同期を制御するための無線制御信号を生成する制御部と、を備え、
前記無線通信部は、
生成された前記無線制御信号を、前記他受信機に繰り返し送信する、
受信機。
【発明の詳細な説明】
【技術分野】
【０００１】
本開示は、複数のマイクのそれぞれとの間で時分割多重通信を用いて送信された音声信号を受信するワイヤレスマイクシステム、受信機及び無線同期方法に関する。
【背景技術】
【０００２】
従来、無線通信を用いて、マイクにより収音された音声信号を伝送するワイヤレスマイクシステムが知られている。ワイヤレスマイクシステムは、複数のマイク子機のそれぞれと、それぞれのマイク子機との間で確立された通信チャネルを通じて、マイク子機から送信される音声信号を受信する受信機（親機）とを備える。親機は、スピーカを有し、各マイク子機で収音された音声信号をスピーカから出力する。このようなワイヤレスマイクシステムは、使用環境に合わせて柔軟に対応できることから、例えば学校の教室や、ホテルの宴会場等の施設等で様々に利用され得る。
【０００３】
また、他のワイヤレスマイクシステムは、複数のマイク子機と、複数の親機と、それぞれの親機の更なる上位親機として位置づけられるミキサー受信機とを備える。各親機は、時分割多重通信方式で複数のマイク子機と無線通信を行う。ミキサー受信機は、スピーカを有し、複数の親機から入力される音声信号を合成して出力する。
【０００４】
特許文献１には、１つの親機と複数のマイク子機とを備え、親機は各マイク子機と時分割多重通信方式で無線通信を行う無線通信システムが開示されている。この無線通信システムでは、親機は、他の無線通信システムへの電波干渉を抑制するために、遠方のマイク子機への送信電力を通信維持可能な程度に抑制する。
【先行技術文献】
【特許文献】
【０００５】
【特許文献１】特開２０１５−５０７２７号公報
【発明の概要】
【発明が解決しようとする課題】
【０００６】
１つのワイヤレスマイクシステム内では、複数の親機がそれぞれ自立したクロックに従って複数のマイク子機と無線通信を行った場合、複数の親機が同一のクロックに従って動作しない可能性が高く、クロックずれが生じることがあった。この場合、親機からミキサー受信機に入力される音声信号の衝突が起きてしまい、音声ノイズの発生が起きる可能性があるという課題があった。
【０００７】
更に、複数のワイヤレスマイクシステムのそれぞれのカバーエリアにおいて一部のエリアが共存する環境が存在する場合、各ワイヤレスシステム内で複数の親機からのクロックの同期がとれていたとしても、他のワイヤレスマイクシステムとの間でそれぞれのワイヤレスマイクシステム中の基準となる親機間でクロックずれが生じることがあり得た。このため、異なるワイヤレスマイクシステム内の基準となる親機間でクロックずれが生じた場合、それぞれのワイヤレスシステムから送出している無線信号は、長い時間の間に衝突する可能性が高い。この結果、音声信号の干渉が起こり、音声ノイズの発生がおきる可能性が高い。例えば、マイク子機が現在属しているワイヤレスマイクシステムから他のワイヤレスマイクシステムに移行するハンドオーバーを行う場合、ワイヤレスマイクシステム間でクロックずれが生じていると、そのマイク子機から親機への円滑な音声通信が行えなかった。
【０００８】
上述した特許文献１では、１つの親機が複数のマイク子機と無線通信を行う場合、送信電力を下げることで、他の無線通信システムへの干渉を抑制することは開示されるが、上述した１つのワイヤレスマイクシステム内や異なるワイヤレスマイクシステム間での親機間におけるクロックずれについては何も考慮されていない。
【０００９】
本開示は、上述した従来の状況に鑑みて案出され、複数のワイヤレスマイクシステムのカバーエリアに共存エリアが存在する環境下でも、それぞれのワイヤレスマイクシステム間での無線同期を的確に実現し、それぞれのワイヤレスマイクシステム間での高品質な音声信号の出力を支援するワイヤレスマイクシステム、受信機及び無線同期方法を提供することを目的とする。
【課題を解決するための手段】
【００１０】
本開示は、それぞれ１つ以上のマイクと無線通信可能な複数の第１子受信機と、前記複数の第１子受信機と接続された第１親受信機とを有する第１受信機セグメントと、それぞれ１つ以上のマイクと無線通信可能な複数の第２子受信機と、前記複数の第２子受信機と接続された第２親受信機とを有する、少なくとも１つの第２受信機セグメントと、を備え、前記複数の第１子受信機のうち基準となる第１子受信機は、前記第１受信機セグメントと前記第２受信機セグメントとの同期を制御するための無線制御信号を繰り返し送信し、前記複数の第２子受信機のうち基準となる第２子受信機は、前記無線制御信号に同期して自己の前記第２受信機セグメント内で同期するための基準タイミング信号を前記第２親受信機に送信し、前記第２親受信機は、前記基準タイミング信号に応じて、自己の前記第２受信機セグメント内で同期するための同期タイミング信号を、自己の前記第２受信機セグメント内の他の第２子受信機に送信する、ワイヤレスマイクシステムを提供する。
【００１１】
また、本開示は、それぞれ１つ以上のマイクと無線通信可能な複数の第１子受信機と、前記複数の第１子受信機と接続された第１親受信機とを有する第１受信機セグメントと、それぞれ１つ以上のマイクと無線通信可能な複数の第２子受信機と、前記複数の第２子受信機と接続された第２親受信機とを有する、少なくとも１つの第２受信機セグメントと、を備えたワイヤレスマイクシステムにおける無線同期方法であって、前記複数の第１子受信機のうち基準となる第１子受信機は、前記第１受信機セグメントと前記第２受信機セグメントとの同期を制御するための無線制御信号を繰り返し送信し、前記複数の第２子受信機のうち基準となる第２子受信機は、前記無線制御信号に同期して自己の前記第２受信機セグメント内で同期するための基準タイミング信号を前記第２親受信機に送信し、前記第２親受信機は、前記基準タイミング信号に応じて、自己の前記第２受信機セグメント内で同期するための同期タイミング信号を、自己の前記第２受信機セグメント内の他の第２子受信機に送信する、無線同期方法を提供する。
【００１２】
また、本開示は、１つ以上のマイクと無線通信可能な受信機であって、１つ以上のマイクと無線通信可能であって、かつ、前記受信機が配置される自セグメントとは異なる少なくとも１つの他セグメントに配置される他受信機との間で無線通信する無線通信部と、前記自セグメントと前記他セグメントとの同期を制御するための無線制御信号を生成する制御部と、を備え、前記無線通信部は、生成された前記無線制御信号を、前記他受信機に繰り返し送信する、受信機を提供する。
【発明の効果】
【００１３】
本開示によれば、複数のワイヤレスマイクシステムのカバーエリアに共存エリアが存在する環境下でも、それぞれのワイヤレスマイクシステム間での無線同期を的確に実現し、それぞれのワイヤレスマイクシステム間での高品質な音声信号の出力を支援することができる。
【図面の簡単な説明】
【００１４】
【図１】実施の形態１に係るワイヤレスマイクシステムのシステム構成例を概略的に示す図
【図２】ＤＥＣＴ方式の通信で使用されるキャリアの周波数帯域を説明する図
【図３】受信機とマイク子機との間で無線信号が送受信されるタイムスロットを示す図
【図４】ＤＥＣＴ通信における信号のフレーム構成を示す図
【図５】マイク子機のハードウェア構成例を示すブロック図
【図６】受信機のハードウェア構成例を示すブロック図
【図７】ミキサー受信機のハードウェア構成を示すブロック図
【図８】複数のワイヤレスマイクシステムのカバーエリアの一例を示す図
【図９】メインワイヤレスマイクシステムのメイン基準受信機がサブワイヤレスマイクシステムに無線制御信号を送出する様子を示す図
【図１０】ワイヤレスマイクシステム内の無線同期を示す図
【図１１】受信機の動作手順を示すフローチャート
【図１２】ミキサー受信機の動作手順を示すフローチャート
【図１３】実施の形態１の変形例１に係るミキサー受信機と受信機との間における遅延時間の測定を示す図
【図１４】ミキサー受信機の動作手順を示すフローチャート
【図１５】実施の形態１の変形例２に係る他のシステムを利用したサブワイヤレスマイクシステムの同期の確立を示す図
【図１６】実施の形態１の変形例３に係る制御ビットフィールドの構成を示す図
【図１７】実施の形態２に係るメインワイヤレスマイクシステムの構成を示す図
【図１８】電源給電ユニットの構成を示す図
【図１９】メインミキサー受信機及び電源給電ユニットからそれぞれメイン基準受信機に出力される供給電圧の変化を示すタイミングチャート
【図２０】実施の形態２の変形例１に係るメインワイヤレスマイクシステムの構成を示す図
【図２１】電源給電ユニットの構成を示す図
【図２２】メイン基準受信機の動作手順を示すフローチャート
【発明を実施するための形態】
【００１５】
（実施の形態１の内容に至る経緯）
１つのワイヤレスマイクシステム内では、複数の親機がそれぞれ自立したクロックに従って複数のマイク子機と無線通信を行った場合、複数の親機が同一のクロックに従って動作しない可能性が高く、クロックずれが生じることがあった。この場合、親機からミキサー受信機に入力される音声信号の衝突が起きてしまい、音声ノイズの発生が起きる可能性があるという課題があった。
【００１６】
更に、複数のワイヤレスマイクシステムのそれぞれのカバーエリアにおいて一部のエリアが共存する環境が存在する場合、各ワイヤレスシステム内で複数の親機からのクロックの同期がとれていたとしても、他のワイヤレスマイクシステムとの間でそれぞれのワイヤレスマイクシステム中の基準となる親機間でクロックずれが生じることがあり得た。このため、異なるワイヤレスマイクシステム内の基準となる親機間でクロックずれが生じた場合、それぞれのワイヤレスシステムから送出している無線信号は、長い時間の間に衝突する可能性が高い。この結果、音声信号の干渉が起こり、音声ノイズの発生がおきる可能性が高い。例えば、マイク子機が現在属しているワイヤレスマイクシステムから他のワイヤレスマイクシステムに移行するハンドオーバーを行う場合、ワイヤレスマイクシステム間でクロックずれが生じていると、そのマイク子機から親機への円滑な音声通信が行えなかった。
【００１７】
上述した特許文献１では、１つの親機が複数のマイク子機と無線通信を行う場合、送信電力を下げることで、他の無線通信システムへの干渉を抑制することは開示されるが、上述した１つのワイヤレスマイクシステム内や異なるワイヤレスマイクシステム間での親機間におけるクロックずれについては何も考慮されていない。
【００１８】
そこで、以下の実施の形態１では、複数のワイヤレスマイクシステムのカバーエリアに共存エリアが存在する環境下でも、それぞれのワイヤレスマイクシステム間での無線同期を的確に実現し、それぞれのワイヤレスマイクシステム間での高品質な音声信号の出力を支援するワイヤレスマイクシステム、受信機及び無線同期方法の例を説明する。
【００１９】
以下、適宜図面を参照しながら、本開示に係るワイヤレスマイクシステム、受信機、無線同期方法、給電方法を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００２０】
（実施の形態１）
実施の形態１に係るワイヤレスマイクシステムでは、複数の受信機は、ホール等の室内に一定間隔で配置される。それぞれの受信機は、１つ以上のマイク子機（つまり、ワイヤレスマイク）に対する通信相手の親機として機能する。それぞれのマイク子機は、人物（例えばマイク子機のユーザ）により把持可能であり、親機との通信中、人物の移動に伴ってハンドオーバーしながら同じワイヤレスマイクシステム内の親機間を移動可能である。また、マイク子機は、現在属している、複数の親機を含むワイヤレスマイクシステムから他のワイヤレスマイクシステムへハンドオーバーしながら移行することも可能である。
【００２１】
図１は、実施の形態１に係るワイヤレスマイクシステム５のシステム構成例を概略的に示す図である。ワイヤレスマイクシステム５は、複数個（例えば、ｍ個）のマイク子機２（マイクの一例）と、複数台の受信機３（親機）と、１台のミキサー受信機８とを含む構成である。ｍは２以上の整数である。以下の説明において、複数のマイク子機２Ｃ１，２Ｃ２，…，２Ｃｍのそれぞれを特に区別しない場合、マイク子機２という。図１では、例えばマイク子機２Ｃ１とマイク子機２Ｃ２は、受信機３ｗ１に属する（つまり、受信機３ｗ１を無線通信の相手（親機）として認識している）。マイク子機２Ｃ３とマイク子機２Ｃ４は、受信機３ｗ２に属する（つまり、受信機３ｗ２を無線通信の相手（親機）として認識している）。マイク子機２Ｃｍ−１とマイク子機２Ｃｍは、受信機３ｗｋに属する（つまり、受信機３ｗｋを無線通信の相手（親機）として認識している）。なお、１つの受信機に属するマイク子機の数は、任意の数でよい。また、各マイク子機２は、複数の受信機３ｗ１，３ｗ２，３ｗ３，〜，３ｗｋ−１，３ｗｋに重複して属してもよい。例えば、全てのマイク子機２が全ての受信機３ｗ１〜３ｗｋに属してもよい。
【００２２】
マイク子機２とマイク子機２が属する受信機３との間では、無線信号（例えば、音声信号もしくは制御信号）が、時分割多元接続方式の通信規格（例えば、時分割多重通信方式）に則った無線回線を通じて送受信される。マイク子機２の使用者（ユーザ）はマイク子機２に音声を入力する（例えば声を発する）と、マイク子機２により収音された音声信号は、無線回線を通じて受信機３に送信される。各実施の形態において、時分割多重通信方式の通信規格として、例えば２０１１年に策定されたディジタルコードレス電話機の標準規格である周波数帯１．９ＧＨｚのＤＥＣＴ（Digital Enhanced Cordless Telecommunications）方式を用いて説明する。
【００２３】
複数の受信機３は、それぞれの受信機３に属するマイク子機２から受信した音声信号をミキサー受信機８に出力する。ミキサー受信機８の筐体８ｚには、複数の受信機３にそれぞれ接続される信号線１４０が接続可能な複数のポートＰ（Ｐ１，Ｐ２，…，Ｐｍ）が配置される。ミキサー受信機８は、複数のポートＰにそれぞれ接続された複数の受信機３から入力した１つ以上の音声信号を合成し、音声合成後の音声信号を外部スピーカＳＰＫ１から出力する。なお、各受信機３は、ミキサー受信機８に音声信号を送信すると共に、自機に接続された外部スピーカＳＰＫ２（図６参照）で音声を再生してもよい。
【００２４】
図２は、ＤＥＣＴ方式の通信で使用されるキャリアの周波数帯域を説明する図である。ＤＥＣＴ方式の通信は、１．９ＧＨｚ帯（具体的には、１８９５，６１６ＭＨｚ〜１９０２．５２８ＭＨｚ）において６つの周波数帯域が使用される。６つの周波数帯域は、具体的には、ｆ１（１８９５．６１６ＭＨｚ）を中心周波数とするキャリア（つまり、搬送波。以下同様。）と、ｆ２（１８９７．３４４ＭＨｚ）を中心周波数とするキャリアと、ｆ３（１８９９．０７２ＭＨｚ）を中心周波数とするキャリアと、ｆ４（１９００．８００ＭＨｚ）を中心周波数とするキャリアと、ｆ５（１９０２．５２８ＭＨｚ）を中心周波数とするキャリアと、ｆ６（１９０４．２５６ＭＨｚ）を中心周波数とするキャリアである。
【００２５】
これらの周波数帯域は、重ならないので、電波干渉が起こりにくく、通信障害を低減できる。また、１．９ＧＨｚ帯を用いるＤＥＣＴ通信は、例えば無線ＬＡＮ（Local Area Network）や電子レンジ等の機器が発する電波とも干渉しないので、ワイヤレスマイクシステムの音声品質を維持できる。また、受信機３は、ＤＥＣＴ通信の１フレーム期間毎に、各周波数帯域のチャネルの使用状況（例えば、キャリアやスロットなどのリソースの空き具合）を常時モニタリングしており、最適な周波数帯域のチャネルを選択することで、１．９ＧＨｚ帯を効率良く利用できる。
【００２６】
図３は、受信機３とマイク子機２との間で無線信号が送受信されるタイムスロットを示す図である。以下、タイムスロットを「スロット」と略記する。図４は、ＤＥＣＴ通信における信号のフレーム構成を示す図である。受信機３とそれぞれのマイク子機２との間では、１フレーム期間毎に、通信規格に従って定まる既定数（例えば、ｎ個）のスロットを用いて無線信号が送受信される。通信規格がＤＥＣＴ方式である場合、１フレーム期間が１０ｍｓに対応し、例えばｎ＝２４スロット（つまり、ダウンリンク用に１２スロット、アップリンク用に１２スロット）で構成される。
【００２７】
ＤＥＣＴ方式を用いた無線通信（以下、「ＤＥＣＴ通信」という）では、一般的に、ダウンリンク用のスロットＳ０〜スロットＳ１１は、受信機３からマイク子機２への通信に使用される。アップリンク用のスロットＳ１２〜スロットＳ２３は、マイク子機２から受信機３への通信に使用される。受信機３とマイク子機２との間の通信では、スロットＳ０とスロットＳ１２、スロットＳ１とスロットＳ１３などのように、１／２周期に対応する５ｍｓ離れた位置関係にあるスロットを組み合わせて（ペアスロットで）使用される。このペアスロットは、１つのチャネル（例えば、制御情報を送受信するための制御チャネル、音声信号を送受信するための通信チャネル）を構成する。
【００２８】
また、受信機３からマイク子機２へ送信が行われる１２スロット中、少なくとも１つのスロット（例えばスロットＳ０）は、受信機３からマイク子機２への制御情報が含まれた制御信号を送るための制御スロットとされる。制御信号は、１フレーム期間を構成する既定数のスロットのうち１つのスロットを用いて、受信機３からそれぞれのマイク子機２に送信される。なお、受信機３からマイク子機２への制御信号の送信中に電波干渉が発生した場合、空きスロット（言い換えると、未使用のスロット）を制御スロットとして使用してもよい。例えば、スロットＳ０で電波干渉等が発生した場合、受信機３は、制御スロットをスロットＳ０から他の空いているスロット（例えば、後述する切替用のスロット）に切り替えて使用してもよい。これと連動して、制御スロットに対する応答スロット（つまり、制御スロットに対する応答に用いられ、マイク子機２から受信機３への送信に使用されるスロット）は、スロットＳ１２から他の空いているスロット（例えば、同様に後述する切替用のスロット）に変更される。このように、受信機３は、ＤＥＣＴ通信の１フレーム期間毎に、制御チャネルや通信チャネルとして使用するスロットを、受信機３とマイク子機２のそれぞれとの間の電波状況等に応じて動的に決定する。例えば、コードレスフォン等の機器では、前半のスロットＳ０〜Ｓ１１では受信機が送信側で子機が受信側であり、後半のスロットＳ１２〜Ｓ２３では受信機が受信側で子機が送信側である。
【００２９】
一方、ワイヤレスマイクシステム５では、受信機３は、複数のマイク子機２のそれぞれから送信される音声信号を受信する。また、受信機３は、各マイク子機２に対して１フレーム期間中に１回、制御信号を送信すればよい。従って、実施の形態１では、前半のスロットＳ０〜Ｓ１１を、マイク子機２が送信側となるアップリンク用のスロット（通信スロット）として使用できるように、受信機３は、スロットＳ０〜Ｓ１１を動的に決める。
【００３０】
例えば、受信機３は、１フレーム期間内のスロットＳ０を制御信号を送るための制御チャネルとして決め、この制御チャネルを通じて制御信号をマイク子機２に送信する。制御信号に含まれる制御情報には、例えばシステム情報、スロット情報、キャリア情報である。具体的には、制御情報は、例えば、キャリアかつスロットを用いた通信相手であるマイク子機２の識別情報とそのキャリアやスロットの識別情報、各スロットのビジー状態、使用可能な空きスロットの指定、接続されているマイク子機の数、受信機の無線エラー状況、無線干渉によるスロット切り換え等の情報が含まれる。
【００３１】
ＤＥＣＴ通信の１フレームを構成するそれぞれのスロットは、４１６．６７μｓ（＝１０ｍｓ／２４）の時間幅で規定され、具体的には、同期信号フィールドと制御ビットフィールドとＣＲＣ１フィールドとデータビットフィールドとＣＲＣ２フィールドとから構成される。同期信号フィールドは、ビット同期を取るためのデータ列とスロットの同期を取るためのデータ列とから構成される固定データを含む。制御ビットフィールドは、上述した制御信号を含む。制御信号に含まれる制御情報の量が多くなる場合、例えば制御ビットフィールドだけではなく、データビットフィールドの領域の一部を使用してもよい。ＣＲＣ１フィールドは、制御ビットフィールドのデータ列に基づいて算出されたＣＲＣ（Cyclic Redundancy Check：巡回冗長検査）符号を含み、制御ビットフィールドの伝送誤り検出に用いられる。データビットフィールドは音声通信に用いられる。ＣＲＣ２フィールドは、データビットフィールドのデータ列に基づいて算出されたＣＲＣ符号を含み、データビットフィールドの伝送誤り検出に用いられる。
【００３２】
図５は、マイク子機２のハードウェア構成例を示すブロック図である。マイクの一例としてのマイク子機２は、マイク制御部１０と、マイク無線部１１と、マイク無線部１１に接続されたアンテナ１２とを含む構成である。また、マイク子機２は、ユーザインタフェースとしての音質設定ボタンや電源をＯＮ／ＯＦＦするスイッチを含む操作部１３と、操作部１３による設定内容等を表示する表示部１４と、不揮発性メモリで構成された記憶部１５とを有する。また、マイク子機２は、マイク子機２の各部に電力を供給する電池１６と、デュアルポートＲＡＭ（Random Access Memory）で構成され、リングバッファとして機能するメモリ１７と、マイク音声処理部１８と、音声を入力するマイクロフォン１９とを含む構成である。
【００３３】
マイク制御部１０は、記憶部１５とバス等で結合されるＣＰＵ（Central Processing Unit）を備える。マイク制御部１０は、マイク子機２の各部の動作を制御し、例えば音質設定ボタンが押下されたことを検出する。また、マイク制御部１０は、マイク無線部１１やマイク音声処理部１８に対し、これらの動作タイミングを設定する。
【００３４】
図６は、受信機３のハードウェア構成例を示すブロック図である。受信機３は、マイク子機２と無線通信を行う受信機である。受信機３は、各部を制御する制御部の一例としての制御部２０と、無線制御部３１と、無線部２１と、アンテナ２２１と、メモリ２７とを含む構成である。また、受信機３は、操作部２３と、表示部２４と、記憶部２５とを含む構成である。操作部２３は、ユーザインタフェースとしての音量ボリュームや電源スイッチを含む。表示部２４は、操作部２３による設定内容等を表示する。記憶部２５は、不揮発性メモリで構成される。また、受信機３は、電源２６と、音声処理部２８と、音声出力部２９と、有線通信部３０とを含む構成である。
【００３５】
電源２６は、受信機３の各部に電力を供給する。電源２６は、ミキサー受信機８から信号線１４０を通じて供給される電圧を受電する。また、電源２６は、電源給電ユニットから供給される電圧を受電可能である。音声出力部２９は、外部スピーカＳＰＫ２と接続して音声を再生する。有線通信部３０は、信号線１４０を介してミキサー受信機８に接続され、受信機３で音声処理されたマイク子機２からの音声信号をミキサー受信機８に伝送する。
【００３６】
制御部２０は、記憶部２５とバス等で結合されている。制御部２０は、受信機３の各部の動作を制御し、操作部２３を介して入力された操作内容を取得する。また、制御部２０は、信号線１４０を通じて供給される電圧の大小によってミキサー受信機８が電源オフであるか否かを検知する。
【００３７】
また、制御部２０は、マイク子機２から送信された圧縮信号の伝送エラーを検出する。具体的に、制御部２０は、無線部２１がマイク子機２から送信された圧縮信号を受信した際、エラー検出フィールドであるＣＲＣ２フィールド５４を参照することで、伝送エラーの有無を検出する。制御部２０は、無線通信のクロックを無線制御部３１に供給する。無線制御部３１は、マイク子機２との無線接続を制御し、制御部２０から指定されたキャリア及びスロットを、無線部２１に指示する。つまり、無線制御部３１は、指定されたキャリアかつスロットに対応付けられたマイク子機２と通信を行うように、無線部２１を制御する。無線部２１（無線通信部の一例）は、無線アンテナ２２を介して、指定されたキャリア及びスロットでマイク子機２との間で通信を行う。また、無線部２１は、ワイヤレスマイクシステムの同期を制御するための無線制御信号を生成し、定期的に送信可能である。また、無線制御部３１は、マイク子機２からの音声信号をメモリ２７に記憶する。メモリ２７は、デュアルポートＲＡＭ（Random Access Memory）で構成され、リングバッファとして機能する。
【００３８】
制御部２０は、タイマを内蔵する。タイマは、例えばメイン基準受信機からの無線制御信号を受信して同期するまでの時間を計測する。制御部２０は、タイマで計時される時間が所定の時間を経過しても、メイン基準受信機からの無線制御信号を受信していない場合、サーチ動作の失敗、又は基準受信機がないとして異常を判定する。
【００３９】
図７は、ミキサー受信機８のハードウェア構成を示すブロック図である。ミキサー受信機８は、ミキサー制御部８０と、有線通信部８２と、メモリ８７と、音声処理部８８と、音声出力部８１と、を含む構成である。
【００４０】
ミキサー制御部８０は、ミキサー受信機８の各部の動作を制御し、操作部８３を介して入力された操作内容を取得する。また、ミキサー制御部８０は、音声処理部８８の動作タイミングを設定する。また、ミキサー制御部８０は、基準受信機（例えば受信機３ｗ１）から基準タイミング信号を受信すると、他の受信機（例えば受信機３ｗ２，３ｗ３，…，３ｗｋ）に同期信号を送信する。
【００４１】
有線通信部８２は、信号線１４０を介して接続される複数の受信機３ｗ１，３ｗ２，３ｗ３，…，３ｗｋと通信可能である。信号線１４０は、電力を供給可能な電源ラインを有する。信号線１４０には、例えばＰｏＥ（Power over Ethernet）ケーブルが用いられる。メモリ８７は、複数の受信機３ｗ１，３ｗ２，３ｗ３，…，３ｗｋから受信した音声データを一時的に記憶し、また、各種の設定値を記憶する。音声処理部８８は、有線通信部８２を介して接続された複数の受信機３ｗ１〜３ｗｋから入力される音声信号を合成処理し、音声出力部８１に送出する。音声出力部８１は、外部スピーカＳＰＫ１と接続して音声を出力する。
【００４２】
また、ミキサー受信機８は、操作部８３と、表示部８４と、電源８６と、外部Ｉ／Ｆ部８９と、を含む構成である。操作部８３は、ユーザインタフェースとしての音量ボリュームや電源スイッチを含む。また、操作部８３は、ディップ（ＤＩＰ）スイッチ８３ｚを有する。ＤＩＰスイッチ８３ｚの値によって、メイン基準受信機３Ａｗ１が接続されるポートＰが指定される。例えばＤＩＰスイッチ８３ｚが３ビットを有する場合、値０〜値７に相当するポートは、メイン基準受信機３Ａｗ１が接続されるポートＰに設定される。
【００４３】
表示部８４は、操作部８３による設定内容等を表示する。電源８６は、商用電源に接続され、ミキサー受信機８及び受信機３に所定の電圧を供給する。外部Ｉ／Ｆ部８９は、ＬＡＮ（Local Area Network）やＵＳＢ（Universal Serial Bus）を用いて接続された外部機器（例えばＰＣ）との間で、ミキサー受信機８の設定変更等を行う。
【００４４】
次に、上述した実施の形態１に係るワイヤレスマイクシステム５の動作を説明する。
【００４５】
ここでは、複数のワイヤレスマイクシステムのカバーエリアが、一部重複する場合を示す。カバーエリアは、ワイヤレスマイクシステムが自システムに属する複数のマイク子機と通信可能なエリア（通信範囲）を意味する。また、各ワイヤレスマイクシステムは、自システム内の複数の受信機と無線同期し、更に、他システム内の複数の受信機とも無線同期する。ここで、同期とは、全システムで同時（つまり、同一のタイミング）にクロック同期する他、各システムにおいてクロック単位で一定時間ずれて同期することも含む。更に、同期は、多少クロックずれが生じても、干渉が起きない程度の時間差を有する同期も含む。
【００４６】
図８は、複数のワイヤレスマイクシステム５のカバーエリアの一例を示す図である。ここでは、複数のワイヤレスマイクシステム５の一例として、３つのワイヤレスマイクシステムを示す。３つのワイヤレスマイクシステムは、メインワイヤレスマイクシステム５Ａ、サブワイヤレスマイクシステム５Ｂ、及びサブワイヤレスマイクシステム５Ｃである。
【００４７】
メインワイヤレスマイクシステム５Ａのカバーエリアｒａ１と、サブワイヤレスマイクシステム５Ｂのカバーエリアｒａ２とは、それぞれのカバーエリアｒａ１，ｒａ２の一部を構成する共存エリアｒａ１２において重複する。また、メインワイヤレスマイクシステム５Ａのカバーエリアｒａ１と、サブワイヤレスマイクシステム５Ｃのカバーエリアｒａ３とは、それぞれのカバーエリアｒａ１，ｒａ３の一部を構成する共存エリアｒａ１３において重複する。
【００４８】
ここで、メインワイヤレスマイクシステム５Ａ及びサブワイヤレスマイクシステム５Ｂ，５Ｃのいずれも１つの基準受信機とその他の受信機とを含む。メインワイヤレスマイクシステム５Ａに含まれる基準受信機をメイン基準受信機３Ａｗ１と称する。メインワイヤレスマイクシステム５Ａに含まれる他の受信機をメイン受信機３Ａｗ２，３Ａｗ３と称する。同様に、サブワイヤレスマイクシステム５Ｂ，５Ｃに含まれるそれぞれの基準受信機をサブ基準受信機３Ｂｗ１，３Ｃｗ１と称する。サブワイヤレスマイクシステム５Ｂ，５Ｃに含まれる他の受信機をサブ受信機３Ｂｗ２，３Ｂｗ３，３Ｃｗ２，３Ｃｗ３と称する。
【００４９】
図９は、メインワイヤレスマイクシステム５Ａのメイン基準受信機３Ａｗ１がサブワイヤレスマイクシステム５Ｂ，５Ｃに無線制御信号を送出する様子を示す図である。メインワイヤレスマイクシステム５Ａのメイン基準受信機３Ａｗ１は、自システムで使用する無線制御信号を生成し、サブ基準受信機３Ｂｗ１，３Ｃｗ１に向けて、無線制御信号ｓｃを定期的に繰り返し送出する。
【００５０】
図１０は、ワイヤレスマイクシステム５内の無線同期を示す図である。基準受信機（例えば受信機３ｗ１）は、基準タイミング信号をミキサー受信機８に送信する。ここで、メインワイヤレスマイクシステム５Ａの場合、メイン基準受信機３Ａｗ１は、自立して無線制御信号を生成し、その基準タイミング信号をメインミキサー受信機８Ａに送信する。一方、サブワイヤレスマイクシステム５Ｂ，５Ｃの各サブ基準受信機３Ｂｗ１，３Ｃｗ１は、メイン基準受信機３Ａｗ１が送出している無線制御信号に同期するための基準タイミング信号を生成し、サブワイヤレスマイクシステム５Ｂ，５Ｃ内のサブミキサー受信機８Ｂ，８Ｃにそれぞれ送信する。
【００５１】
ミキサー受信機８は、基準受信機（例えば受信機３ｗ１）から基準タイミング信号を受信すると、この基準タイミング信号に同期するための同期タイミング信号を生成し、他の受信機３ｗ２，３ｗ３，…，３ｗｋに送信する。他の受信機３ｗ２，３ｗ３，…，３ｗｋは、ミキサー受信機８から受信した同期タイミング信号にしたがって同期し、無線フレームの開始位置を同期タイミング信号に合わせて、それぞれに属する複数のマイク子機２と無線通信を行う。
【００５２】
このように、メインワイヤレスマイクシステム５Ａのメイン基準受信機３Ａｗ１が定期的に送出する無線制御信号を基準として、全てのメインワイヤレスマイクシステム５Ａに含まれる受信機３が同期する。
【００５３】
図１１は、受信機３の動作手順を示すフローチャートである。受信機３は、電源オンにより動作を開始する。受信機３の制御部２０は、自機が基準受信機であるか否かを判別する（Ｓｔ１）。ミキサー受信機８が基準受信機を設定している場合、制御部２０は、ミキサー受信機８と通信を行い、ミキサー受信機８から設定情報を受信することで判断可能である。また、制御部２０は、受信した設定情報を基に、記憶部２５に基準受信機であることを示す値を書き込んでおくことで、それ以降、記憶部２５の内容を読み出すことで、基準受信機であるか否かを判断可能である。なお、基準受信機の判断は、これに限らない。例えば、制御部２０は、無線部２１を介して、定期的に送信される信号レベルの強い無線制御信号を受信できなかった場合、自機が基準受信機であると判断し、一方、定期的に送信される信号レベルの強い無線制御信号を受信できた場合、自機が基準受信機でないと判断してもよい。
【００５４】
制御部２０は、自機が属するワイヤレスマイクシステムがメインワイヤレスマイクシステムであるか否かを判別する（Ｓｔ２）。メインワイヤレスマイクシステムである場合、制御部２０は、自立し、無線制御信号を生成して無線制御部３１に渡し、無線部２１を介して無線制御信号を定期的に送出する（Ｓｔ３）。更に、制御部２０は、無線制御信号に同期する基準タイミング信号をミキサー受信機８に送信する（Ｓｔ４）。この後、制御部２０は図１１に示す処理を終了する。ミキサー受信機８は、他の受信機３に対し、基準タイミング信号に同期する同期タイミング信号を送信する。
【００５５】
一方、ステップＳｔ２でサブワイヤレスマイクシステムである場合、制御部２０は、メイン基準受信機３Ａｗ１から送信される無線制御信号を探索（サーチ）する（Ｓｔ５）。制御部２０は、無線制御信号が見つかったか否かを判別する（Ｓｔ６）。無線制御信号が見つかった場合、制御部２０は、メイン基準受信機３Ａｗ１の無線制御信号に同期する、自機の無線制御信号を送信する（Ｓｔ７）。この後、制御部２０の処理はステップＳｔ４に進む。
【００５６】
また、ステップＳｔ６で無線制御信号が見つからなかった場合、制御部２０は、内蔵するタイマが所定の時間を経過したか否かを判別する（Ｓｔ８）。ここで、所定の時間は、例えばメイン基準受信機からの無線制御信号を受信して同期するまでに要する十分な時間である。タイマが所定の時間を経過していない場合、制御部２０は、ステップＳｔ５に戻り、メイン基準受信機３Ａｗ１から送信される無線制御信号を探索する。一方、タイマが所定の時間を経過した場合、サブワイヤレスマイクシステム５Ｂのサブ基準受信機３Ｂｗ１は、メインワイヤレスマイクシステム５Ａのメイン基準受信機３Ａｗ１と同期することを中止する。この場合、サブ基準受信機３Ｂｗ１の制御部２０は、自立し、サブワイヤレスマイクシステム５Ｂ内で使用する無線制御信号を生成して送出する（Ｓｔ１３）。この後、制御部２０は図１１に示す処理を終了する。
【００５７】
また、ステップＳｔ１で自機が基準受信機でない場合、制御部２０は、無線部２１を介して、ミキサー受信機８からの同期タイミング信号を待ち受ける（Ｓｔ９）。制御部２０は、ミキサー受信機８からの同期タイミング信号が検知されたか否かを判別する（Ｓｔ１０）。同期タイミング信号が検知された場合、制御部２０は、同期タイミング信号に合わせて、無線制御信号を送信する（Ｓｔ１１）。この後、制御部２０は図１１に示す処理を終了する。
【００５８】
一方、ステップＳｔ１０でミキサー受信機８からの同期タイミング信号が検知されなかった場合、制御部２０は、内蔵するタイマが所定の時間を経過したか否かを判別する（Ｓｔ１２）。ここで、所定の時間は、例えばミキサー受信機からの同期タイミング信号を受信して同期するまでに十分な時間である。タイマが所定の時間を経過していない場合、制御部２０の処理はステップＳｔ９に戻り、制御部２０は、ミキサー受信機８からの同期タイミング信号を待ち受ける。一方、タイマが所定の時間を経過した場合、受信機３は、基準受信機（例えば受信機３ｗ１）と同期することを中止する。この場合、基準受信機（例えば受信機３ｗ１）の制御部２０は、自立しワイヤレスマイクシステム内で使用する無線制御信号を生成して送出する（Ｓｔ１３）。この後、制御部２０は図１１に示す処理を終了する。
【００５９】
図１２は、ミキサー受信機８の動作手順を示すフローチャートである。ミキサー受信機８は、電源オンにより動作を開始する。ミキサー受信機８のミキサー制御部８０は、基準受信機（例えば受信機３ｗ１）と接続されているか否かを判別する（Ｓｔ２１）。基準受信機（例えば受信機３ｗ１）と接続されている場合、ミキサー制御部８０は、基準受信機（例えば受信機３ｗ１）からの基準タイミング信号を待ち受ける（Ｓｔ２２）。ミキサー制御部８０は、基準タイミング信号を受信したか否かを判別する（Ｓｔ２３）。基準タイミング信号を受信した場合、ミキサー制御部８０は、他の受信機３に対し、基準タイミング信号に合わせて同期タイミング信号を送出する（Ｓｔ２４）。この後、ミキサー制御部８０は図１２に示す処理を終了する。
【００６０】
一方、ステップＳｔ２３で基準タイミング信号を受信しなかった場合、ミキサー制御部８０は、内蔵するタイマが所定の時間を経過したか否かを判別する（Ｓｔ２５）。ここで、所定の時間は、例えば基準受信機（例えば受信機３ｗ１）からの基準タイミング信号を受信するまでの時間である。タイマが所定の時間を経過していない場合、ミキサー制御部８０の処理はステップＳｔ２２に戻り、ミキサー制御部８０は、基準受信機（例えば受信機３ｗ１）からの基準タイミング信号を待ち受ける。一方、タイマが所定の時間を経過した場合、ミキサー制御部８０は、自立し、ワイヤレスマイクシステム５内で使用する同期タイミング信号を生成して送出する（Ｓｔ２６）。この後、ミキサー制御部８０は図１２に示す処理を終了する。
【００６１】
なお、ここでは、メイン基準受信機は、自機の無線制御信号に同期した基準タイミング信号をミキサー受信機に送信する場合を示したが、ミキサー受信機からの同期タイミング信号によって、同期信号となる無線制御信号を生成して送信してもよい。つまり、ミキサー受信機が基準タイミング信号を生成してメイン基準受信機に送信してもよい。
【００６２】
以上により、実施の形態１に係るワイヤレスマイクシステム５は、それぞれ１つ以上のマイク子機２と無線通信可能な複数の受信機３（第１子受信機の一例、例えばメイン基準受信機３Ａｗ１，メイン受信機３Ａｗ２，３Ａｗ３）と、複数の受信機３と接続されたミキサー受信機８（第１親受信機の一例、例えばメインミキサー受信機８Ａ）とを有するメインワイヤレスマイクシステム５Ａ（第１受信機セグメント、自セグメントの一例）を備える。ワイヤレスマイクシステム５は、それぞれ１つ以上のマイク子機２と無線通信可能な複数の受信機３（第２子受信機の一例、例えばサブ基準受信機３Ｂｗ１，３Ｃｗ１，サブ受信機３Ｂｗ２，３Ｂｗ３，３Ｃｗ２，３Ｃｗ３）と、複数の受信機３と接続されたサブミキサー受信機（第２親受信機の一例、例えばサブミキサー受信機８Ｂ，８Ｃ）とを有する、少なくとも１つのサブワイヤレスマイクシステム５Ｂ（第２受信機セグメント、他セグメントの一例）を備える。複数の受信機のうちメイン基準受信機３Ａｗ１（基準となる第１子受信機の一例）は、メインワイヤレスマイクシステム５Ａとサブワイヤレスマイクシステム５Ｂ，５Ｃとの同期を制御するための無線制御信号を繰り返し送信する。複数の受信機のうちサブ基準受信機３Ｂｗ１，３Ｃｗ１（基準となる第２子受信機の一例）は、この無線制御信号に同期して自己のサブワイヤレスマイクシステム５Ｂ，５Ｃ内で同期するための基準タイミング信号をサブミキサー受信機８Ｂ，８Ｃに送信する。サブミキサー受信機８Ｂ，８Ｃは、基準タイミング信号に応じて、自己のサブワイヤレスマイクシステム５Ｂ，５Ｃ内で無線同期するための同期タイミング信号を、自己のサブワイヤレスマイクシステム５Ｂ，５Ｃの他のサブ受信機３Ｂｗ２，３Ｂｗ３，３Ｃｗ２，３Ｃｗ３（第２子受信機、他受信機の一例）に送信する。
【００６３】
これにより、ワイヤレスマイクシステム５は、複数のワイヤレスマイクシステム（例えば、メインワイヤレスマイクシステム５Ａ，サブワイヤレスマイクシステム５Ｂ，５Ｃ）のそれぞれのカバーエリアｒａ１，ｒａ２，ｒａ３に共存エリアｒａ１２，ｒａ１３が存在する環境下でも、それぞれのワイヤレスマイクシステム間での無線同期を的確に実現できる。従って、ワイヤレスマイクシステム５は、それぞれのワイヤレスマイクシステム（例えば、メインワイヤレスマイクシステム５Ａ，サブワイヤレスマイクシステム５Ｂ，５Ｃ）間での音声信号の衝突を的確に回避できるので、それぞれのワイヤレスマイクシステムにおいて高品質な音声信号の出力を支援することができる。
【００６４】
また、メイン基準受信機３Ａｗ１は、基準タイミング信号をメインミキサー受信機８Ａに送信する。メインミキサー受信機８Ａは、基準タイミング信号に応じて、自己のメインワイヤレスマイクシステム５Ａ内で無線同期するための同期タイミング信号を、自己のメインワイヤレスマイクシステム５Ａ内の他のメイン受信機３Ａｗ２，３Ａｗ３に送信する。これにより、メインワイヤレスマイクシステム５Ａ内での同期を確立できる。
【００６５】
また、サブ基準受信機３Ｂｗ１及びサブ受信機３Ｂｗ２，３Ｂｗ３は、同期タイミング信号に基づいて同期し、マイク子機２との無線通信に用いるフレームの開始位置を調整する。これにより、各ワイヤレスマイクシステム（例えば、メインワイヤレスマイクシステム５Ａ，サブワイヤレスマイクシステム５Ｂ，５Ｃ）において、基準受信機以外の受信機が同期することができる。
【００６６】
なお、上記実施の形態１では、ミキサー受信機８に接続される複数の受信機３のうち、いずれの受信機が基準受信機であるかについて、特に限定していなかった。例えば、ミキサー受信機８に設けられた、複数の受信機３と信号線１４０（有線）で接続される複数のポートＰ（端子）のうち、所定の端子の一例としての１番目のポートＰ１（図１の最も左側に位置するポート）を基準受信機（例えば受信機３ｗ１）が接続されるポートに設定してもよい。つまり、ミキサー受信機８は、１番目のポートＰ１に接続された受信機を基準受信機（例えば受信機３ｗ１）に設定してもよい。これにより、ミキサー受信機の筐体の外側から１番目のポートＰ１に信号線１４０を接続する手作業だけで、ユーザは直接的かつ簡単に基準受信機を設定できる。
【００６７】
また、ミキサー受信機に設定された値にしたがって、複数のポートのいずれかを基準受信機が接続されるポートに設定してもよい。ここでは、ミキサー受信機８の操作部８３には、ユーザ入力を受け付け可能なＤＩＰスイッチ８３ｚ（設定部の一例）が設けられる。ミキサー受信機８は、ユーザ入力を受け付けた（ユーザがスイッチのＯＮ／ＯＦＦを操作した）際のＤＩＰスイッチ８３ｚの値（設定情報）によって、基準受信機（例えば受信機３ｗ１）が接続されるポートを設定する。ＤＩＰスイッチ８３ｚが例えば３ビットを有する場合、指定された値０〜値７に相当するポートが、基準受信機（例えば受信機３ｗ１）が接続されるポートに設定される。これにより、ミキサー受信機の内部で基準受信機の設定を管理できる。したがって、安易に基準受信機が変更されることを回避できる。
【００６８】
また、ミキサー受信機８に内蔵された外部Ｉ／Ｆ部８９（接続部の一例）は、ＬＡＮあるいはＵＳＢ（Universal Serial Bus）でＰＣ（外部機器の一例）と接続される。ミキサー受信機８は、外部Ｉ／Ｆ部８９を介して受信した、ＰＣからのデータ（設定情報）にしたがって、複数のポートＰのうち、いずれかのポートを基準受信機が接続されるポートに設定してもよい。これにより、外部からミキサー受信機に対し、基準受信機を設定できる。したがって、遠隔で設定することも可能である。
【００６９】
このように、ミキサー受信機に設けられた複数のポートのうち、任意のポートを基準受信機が接続されるポートに設定できる。したがって、仮に基準受信機が接続されたポートに動作不良が生じても、他のポートに簡単に切り替えることができ、無線同期を継続できる。
【００７０】
（実施の形態１の変形例１）
各ワイヤレスマイクシステムでは、ミキサー受信機及び各受信機間の配線が長くなった場合、ミキサー受信機と各受信機との間で遅延が発生する。この遅延時間によって無線フレームにおけるクロックずれが起きないように、遅延時間を揃えることが要求される。
【００７１】
図１３は、実施の形態１の変形例１に係るミキサー受信機８と受信機３との間における遅延時間の測定を示す図である。ミキサー受信機８は、基準受信機（例えば受信機３ｗ１）に向けて遅延時間測定基準信号Ｔ０を送信する。基準受信機（例えば受信機３ｗ１）は、ミキサー受信機８から遅延時間測定基準信号Ｔ０を受信すると、直ぐにあるいは予め決められた時間経過後に遅延時間測定応答信号Ｔ１を返信する。ミキサー受信機８は、遅延時間測定応答信号Ｔ１を受信すると、ミキサー受信機及び基準受信機間の遅延時間ΔＴ１（= Ｔ１−Ｔ０）を算出する。
【００７２】
同様に、ミキサー受信機８は、受信機３ｗ２に向けて遅延時間測定基準信号Ｔ０を送信する。受信機３ｗ２は、ミキサー受信機８から遅延時間測定基準信号Ｔ０を受信すると、直ぐにあるいは予め決められた時間経過後に遅延時間測定応答信号Ｔ２を返信する。ミキサー受信機８は、遅延時間測定応答信号Ｔ２を受信すると、ミキサー受信機及び基準受信機間の遅延時間ΔＴ２（= Ｔ２−Ｔ０）を算出する。以後、同様に、ミキサー受信機８に接続される最後の受信機３ｗｋに対し、遅延時間ΔＴｋ（= Ｔｋ−Ｔ０）の算出が行われる。
【００７３】
ミキサー受信機８は、各受信機３に対応する遅延時間ΔＴ１〜ΔＴｋを考慮し、各受信機３に到達する同期タイミング信号を揃えるように送信する。例えば、ミキサー受信機８は、全ての受信機３のうち、最も長い遅延時間ΔＴｍａｘから各受信機３の遅延時間ΔＴｋを差し引いた時間（ΔＴｍａｘ−ΔＴｋ）を、同期タイミング信号の送信タイミングに加えて送信する。これにより、全ての受信機３に同時に同期タイミング信号が到達するように、送信できる。
【００７４】
通常、ミキサー受信機及び各受信機間の遅延時間の測定は、初期設定時に１回だけ行われる。また、ワイヤレスマイクシステムのレイアウトが変更され、配線の長さに違いか生じた場合、ミキサー受信機及び各受信機間の遅延時間の測定は行われてもよい。
【００７５】
図１４は、ミキサー受信機８の動作手順を示すフローチャートである。図１２に示したステップ処理と同一のステップ処理については、同一のステップ番号を付すことで、その説明を省略する。ミキサー制御部８０は、基準受信機（例えば受信機３ｗ１）を含む、全ての受信機３に向けて、遅延時間測定基準信号Ｔ０を送信する（Ｓｔ２０Ａ）。ミキサー制御部８０は、各受信機３から遅延時間測定応答信号Ｔ１，Ｔ２，…，Ｔｋを受信する（Ｓｔ２０Ｂ）。ミキサー制御部８０は、受信機３毎に、遅延時間ΔＴｋ（= Ｔｋ−Ｔ０）を算出する（Ｓｔ２０Ｃ）。
【００７６】
ミキサー制御部８０は、前述した図１２に示したステップＳｔ２１〜Ｓｔ２３を処理した後、基準タイミング信号に遅延時間ΔＴｋを考慮したタイミングで同期タイミング信号を送信する（Ｓｔ２４Ａ）。つまり、ミキサー制御部８０は、最も長い遅延時間ΔＴｍａｘから各受信機３の遅延時間ΔＴｋを差し引いた時間（ΔＴｍａｘ−ΔＴｋ）を基準タイミング信号に加えたタイミングで、同期タイミング信号を送信する。
【００７７】
また、ミキサー制御部８０は、ステップＳｔ２５を処理した後、自立したタイミング信号に遅延時間ΔＴｋを考慮したタイミングで同期タイミング信号を送信する（Ｓｔ２６Ａ）。つまり、ミキサー制御部８０は、最も長い遅延時間ΔＴｍａｘから各受信機３の遅延時間ΔＴｋを差し引いた時間（ΔＴｍａｘ−ΔＴｋ）を自立したタイミング信号に加えたタイミングで、同期タイミング信号を送信する。ミキサー制御部８０は、ステップＳｔ２４Ａ，Ｓｔ２５Ａを処理した後、図１４に示す処理を終了する。
【００７８】
以上により、実施の形態１の変形例１におけるワイヤレスマイクシステム５では、基準受信機（例えば受信機３ｗ１）は、それぞれ自己と接続される複数の受信機３ｗ２，３ｗ３との間の信号の遅延時間ΔＴｋ（伝送遅延時間情報の一例）を複数の受信機３ｗ２，３ｗ３毎に保持し、複数のメイン受信機３Ａｗ２，３Ａｗ３毎の遅延時間ΔＴｋに基づいて、同期タイミング信号を送信する。これにより、ミキサー受信機及び各受信機間の配線が長くなって信号に遅延が生じる場合でも、個々の遅延時間によることなく、全ての受信機３に同時に同期タイミング信号を送信できる。
【００７９】
（実施の形態１の変形例２）
上述した実施の形態１では、サブワイヤレスマイクシステムのサブ基準受信機は、メインワイヤレスマイクシステムのメイン基準受信機から送信される無線制御信号に同期していたが、他のシステムと同期するようにしてもよい。
【００８０】
図１５は、実施の形態１の変形例２に係る他のシステム６を利用したサブワイヤレスマイクシステム５Ｂの同期の確立を示す図である。サブ基準受信機３Ｂｗ１は、無線同期をとるために、探索（サーチ）する他のシステム６の通信機ＩＤを予め記憶部２５に登録しておく。サブ基準受信機３Ｂｗ１は、登録された通信機ＩＤを有する通信機を探索し、通信機３０１から送信される信号ｓｇ１を受信し、この信号ｓｇ１に同期する基準タイミング信号を生成する。サブ基準受信機３Ｂｗ１は、生成した基準タイミング信号をサブミキサー受信機８Ｂに送信する。サブミキサー受信機８Ｂは、基準タイミング信号を基に生成した同期タイミング信号を同一のサブワイヤレスマイクシステム５Ｂ内の他のサブ受信機３Ｂｗ２，３Ｂｗ３に送信する。これにより、サブワイヤレスマイクシステム５Ｂ内では、無線同期が確立する。
【００８１】
以上により、実施の形態１の変形例２に係るワイヤレスマイクシステムによれば、サブワイヤレスマイクシステムは、同じワイヤレスマイクシステムではない、他のシステムとも無線同期をとることができ、音ノイズが生じることなく、共存できる。
【００８２】
（実施の形態１の変形例３）
図１６は、実施の形態１の変形例３に係る制御ビットフィールドの構成を示す図である。メイン基準受信機が送信する無線制御信号に含まれる、制御ビットフィールドは、受信した信号が同期をとる基準となる信号がどうかを判定するためのＭビットを含む。Ｍビットは、１ビットで構成されてもよいし、複数ビットで構成されてもよい。
【００８３】
例えば、Ｍビットが値１である場合、この無線制御信号をメイン基準信号と判定し、メイン基準受信機が送信する無線制御信号と同期するように、サブ基準受信機は、基準タイミング信号を送信する。一方、Ｍビットが値０である場合、この無線制御信号はメイン基準信号ではないと判定し、この無線制御信号とは無線同期をとらない。
【００８４】
以上により、実施の形態１の変形例３に係るワイヤレスマイクシステムによれば、容易に同じワイヤレスマイクシステムと同期することもでき、また、ワイヤレスマイクシステムでない、他のシステムとも無線制御信号にＭビットを付与することで同期することが可能となる。したがって、音ノイズが起こることなく、同じワイヤレスマイクシステムとも他のシステムとも共存可能な汎用性のあるシステムを構築できる。
【００８５】
（実施の形態２の内容に至る経緯）
実施の形態１では、無線同期を確立するために、メインワイヤレスマイクシステム内のメイン基準受信機が自システム（つまり、メインワイヤレスマイクシステム）内のミキサー受信機に基準タイミング信号を送信し、サブワイヤレスマイクシステムのサブ基準受信機に無線制御信号（上述参照）を送信する。自システム（メインワイヤレスマイクシステム）内の受信機は、基準タイミング信号に基づくミキサー受信機からの同期タイミング信号にしたがって自システム内で他の受信機との間で同期した上で無線通信を行う。また、サブワイヤレスマイクシステムでは、サブ基準受信機は、メインワイヤレスシステムのメイン基準受信機からの無線制御信号を受信すると、自システム（つまり、サブワイヤレスマイクシステム）内のミキサー受信機に基準タイミング信号を送信する。自システム（サブワイヤレスマイクシステム）の受信機は、基準タイミング信号に基づくミキサー受信機からの同期タイミング信号にしたがって無線通信を行う。
【００８６】
ワイヤレスマイクシステムを構成する全ての受信機は、有線、例えばＰｏＥ（Power over Ethernet）でミキサー受信機と接続され、ミキサー受信機から電力供給を受ける。メインワイヤレスマイクシステム内のミキサー受信機の電源がユーザの操作によってオフに切り替えられた場合、メイン基準受信機もオフになって動作しなくなり、メイン基準受信機からの無線制御信号が送信されなくなる。この結果、無線制御信号と無線同期していた、サブワイヤレスマイクシステムの各受信機は、無線同期を失うことになる。この結果、異なるサブワイヤレスマイクシステム間でクロックずれが生じ、長い期間では通信が衝突し、音声品質が低下する。
【００８７】
そこで、以下の実施の形態２では、メインワイヤレスマイクシステム内のミキサー受信機の電源がオフになっても、メイン基準受信機が送信する無線制御信号を維持できるワイヤレスマイクシステムの例を説明する。
【００８８】
（実施の形態２）
実施の形態２に係るワイヤレスマイクシステムにおいて、実施の形態１に係るワイヤレスマイクシステム５を構成する要素と同一の構成要素については同一の符号を用いることで、その説明を簡略化又は省略する。
【００８９】
図１７は、実施の形態２に係るメインワイヤレスマイクシステム５Ａ１の構成を示す図である。実施の形態２に係るメインワイヤレスマイクシステム５Ａ１は、実施の形態１に係るメインワイヤレスマイクシステム５Ａ１の構成に加え、電源給電ユニット１５０及びＡＣアダプタ１６０を更に含む構成である。
【００９０】
メイン基準受信機３Ａｗ１とメインミキサー受信機８Ａとの間には、例えばＰｏＥ（Power over Ethernet）ケーブル等の信号線１４０ａが接続される。メイン基準受信機３Ａｗ１は、信号線１４０ａを介してメインミキサー受信機８Ａとの間で信号を送受信すると共に、メインミキサー受信機８Ａから電源電圧の供給を受ける。同様に、メイン受信機３Ａｗ２，３Ａｗ３とメインミキサー受信機８Ａとの間には、それぞれ信号線１４０ｂ，１４０ｃが接続される。信号線１４０ａ，１４０ｂ，１４０ｃを特に区別しない場合、信号線１４０と総称する。メイン受信機３Ａｗ２，３Ａｗ３は、それぞれ信号線１４０ｂ，１４０ｃを介してメインミキサー受信機８Ａとの間で信号を送受信すると共に、メインミキサー受信機８Ａから電源電圧の供給を受ける。
【００９１】
メインミキサー受信機８Ａが電源オフの状態になると、メイン基準受信機３Ａｗ１及びメイン受信機３Ａｗ２，３Ａｗ３とメインミキサー受信機８Ａとの間で、通信及び電源電圧の供給が遮断される。
【００９２】
電源給電ユニット１５０とメイン基準受信機３Ａｗ１との間には、電源給電ユニット１５０からメイン基準受信機３Ａｗ１に電圧を供給するための電線１４６が接続される。電源給電ユニット１５０は、メインミキサー受信機８Ａが電源オフになった場合、メインミキサー受信機８Ａに代わってメイン基準受信機３Ａｗ１に電力を供給する。
【００９３】
また、電源給電ユニット１５０とメインミキサー受信機８Ａとの間には、メインミキサー受信機８Ａの電源オフを検知するための信号線１４７が接続される。ＡＣアダプタ１６０は、商用電源１７０に接続され、商用交流電圧を入力し、電源給電ユニット１５０に定電圧を供給する。
【００９４】
電源給電ユニット１５０は、ＡＣアダプタ１６０から供給される定電圧を受け、常時、起動している。電源給電ユニット１５０は、信号線１４７を通じてメインミキサー受信機８Ａの電源オフを検知すると、電線１４６を介してメイン基準受信機３Ａｗ１に電源電圧を供給する。これにより、メイン基準受信機３Ａｗ１は、メインミキサー受信機８Ａが電源オフになっても、オン状態を維持する。一方、メイン基準受信機３Ａｗ１以外のメイン受信機３Ａｗ２，３Ａｗ３，…は、メインミキサー受信機８Ａの電源オフによってオフ状態となる。
【００９５】
メイン基準受信機３Ａｗ１は、メインミキサー受信機８Ａが電源オフになっても、電源給電ユニット１５０から電源電圧の供給を受けて動作し、無線制御信号を定期的に繰り返し送信する。サブワイヤレスマイクシステム５Ｂ，５Ｃにおけるサブ基準受信機３Ｂｗ１，３Ｃｗ１は、メイン基準受信機３Ａｗ１から送信される無線制御信号を受信し、無線通信のフレームの開始タイミングを合わせるように、基準タイミング信号を生成する。サブワイヤレスマイクシステム５Ｂ，５Ｃの構成は、上述した実施の形態１に係るサブワイヤレスマイクシステム５Ｂ，５Ｃの構成と同じである。これにより、メインミキサー受信機８Ａが電源オフになっても、サブワイヤレスマイクシステム５Ｂ，５Ｃにおけるサブ基準受信機３Ｂｗ１，３Ｃｗ１は、メインワイヤレスマイクシステム５Ａとの無線同期を維持できる。
【００９６】
図１８は、電源給電ユニット１５０の構成を示す図である。電源給電ユニット１５０は、ＡＣアダプタ入力部１５１、電圧生成部１５２、ミキサー受信機Ｉ／Ｆ部１５３、基準受信機Ｉ／Ｆ部１５４、及びダイオード１５５を含む構成である。
【００９７】
ＡＣアダプタ入力部１５１は、ＡＣアダプタ１６０の出力端子が接続される入力端子を有し、ＡＣアダプタ１６０から供給される出力電圧を入力する。電圧生成部１５２は、ＡＣアダプタ入力部１５１を介して入力されたＡＣアダプタ１６０の出力電圧を基に、メイン基準受信機３Ａｗ１に供給される出力電圧を生成する。
【００９８】
電圧生成部１５２で生成された出力電圧は、ダイオード１５５のアノードに印加される。ダイオード１５５のカソードは、基準受信機Ｉ／Ｆ部１５４及びミキサー受信機Ｉ／Ｆ部１５３間の供給電源ラインｓｐ１に接続される。また、基準受信機Ｉ／Ｆ部１５４とミキサー受信機Ｉ／Ｆ部１５３との間には、供給電源ラインｓｐ１の他、制御信号ラインｓｐ２、グランド（ＧＮＤ）ラインｓｐ３等が接続される。
【００９９】
また、基準受信機Ｉ／Ｆ部１５４は、メイン基準受信機３Ａｗ１に繋がる電線１４６が接続される出力端子を有し、メイン基準受信機３Ａｗ１に電源電圧を供給する。ミキサー受信機Ｉ／Ｆ部１５３は、メインミキサー受信機８Ａに繋がる信号線１４７が接続される入力端子を有し、信号線１４７に含まれる、メインミキサー受信機８Ａの電源オフを検知する信号等を入力する。
【０１００】
メインミキサー受信機８Ａが電源オンである場合、つまり、供給電源ラインｓｐ１の電圧が、電圧生成部１５２の出力電圧から所定値を引いた電圧以上に高い電圧である場合、ダイオード１５５はオフとなる。所定値は、ダイオード１５５が導通するための順方向電圧に相当する。したがって、供給電源ラインｓｐ１の電圧は、そのまま基準受信機Ｉ／Ｆ部１５４の出力端子に出力される。
【０１０１】
一方、メインミキサー受信機８Ａが電源オフである場合、つまり、供給電源ラインｓｐ１の電圧が、電圧生成部１５２の出力電圧から所定値を引いた電圧未満に低い電圧である場合、ダイオード１５５はオンになる（つまり、導通する）。したがって、供給電源ラインｓｐ１の電圧は、電圧生成部１５２の出力電圧から所定値を引いた電圧となる。ダイオード１５５の順方向電圧は、通常約０．６Ｖと小さい。したがって、供給電源ラインｓｐ１の電圧は、電圧生成部１５２の出力電圧とほぼ等しくなる。このように、ダイオード１５５がオンになると、基準受信機Ｉ／Ｆ部１５４の出力端子には、電圧生成部１５２の出力電圧が出力される。
【０１０２】
メイン基準受信機３Ａｗ１は、基準受信機Ｉ／Ｆ部１５４を介して、電圧生成部１５２で生成された出力電圧を受ける。なお、ダイオード１５５のカソードは、メインミキサー受信機８Ａの出力端子にも印加される。メインミキサー受信機８Ａの出力端子は高インピーダンスであるので、メインミキサー受信機８Ａの出力端子に電圧生成部１５２で生成された出力電圧による電流が流れ込むことはなく、電圧生成部１５２で生成された出力電圧は維持される。
【０１０３】
また、電圧生成部１５２は、フィードバック回路ｆｂ１からのフィードバック電圧を入力し、出力電圧を一定の電圧に維持する。なお、フィードバック回路ｆｂ１は、例えば抵抗を用いて低コストで形成できる。また、フィードバック回路ｆｂ１は、電圧生成部１５２が生成する出力電圧がメイン基準受信機３Ａｗ１に供給する電圧として適正である場合、省かれてもよい。
【０１０４】
図１９は、メインミキサー受信機８Ａ及び電源給電ユニット１５０からそれぞれメイン基準受信機３Ａｗ１に出力される供給電圧の変化を示すタイミングチャートである。縦軸は電圧ｖを示し、横軸は時間ｔを示す。メインミキサー受信機８Ａが電源オンしている期間（図中、時刻ｔ１以前の期間）では、メインミキサー受信機８Ａの供給電圧は、電源給電ユニット１５０の供給電圧よりも所定の電圧差Ｖａ以上に高い。ダイオード１５５は、電圧差Ｖａに対し、電流の逆流を防止する。この場合、メイン基準受信機３Ａｗ１には、メインミキサー受信機８Ａの供給電圧が供給される。
【０１０５】
時刻ｔ１でメインミキサー受信機８Ａの電源がオフになると、メインミキサー受信機８Ａの供給電圧は、徐々に下降する。時刻ｔ２でメインミキサー受信機８Ａの供給電圧が電圧生成部１５２の出力電圧未満の低い電圧になると、ダイオード１５５がオン（導通）する。この場合、メイン基準受信機３Ａｗ１には、電圧生成部１５２の出力電圧が供給される。ダイオード１５５のオンによって、メイン基準受信機３Ａｗ１に供給される電圧が、メインミキサー受信機８Ａの供給電圧から電圧生成部１５２の出力電圧に切り替わる。
【０１０６】
なお、ここでは、メインミキサー受信機８Ａは、商用交流電源に接続されたが、電源給電ユニットあるいはＡＣアダプタから電圧供給を受けて動作してもよい。
【０１０７】
以上により、実施の形態２のメインワイヤレスマイクシステム５Ａ１は、それぞれ１つ以上のマイク子機２と無線通信可能な複数の受信機３（子受信機の一例、例えばメイン基準受信機３Ａｗ１，メイン受信機２Ａｗ２，３Ａｗ３）と、複数の受信機３と接続されたメインミキサー受信機８Ａ（親受信機の一例）とを有するメインワイヤレスマイクシステム（受信機セグメントの一例）と、複数の受信機３のうちメイン基準受信機３Ａｗ１とメインミキサー受信機８Ａとに接続され、電源電圧を供給可能な電源給電ユニット１５０（給電装置の一例）と、を備える。メイン基準受信機３Ａｗ１は、メインミキサー受信機８Ａの電源がオフされた場合に、電源給電ユニット１５０から供給される電源電圧に基づいて、それぞれ１つ以上のマイク子機２と無線通信可能な複数の受信機３（例えば、サブ基準受信機３Ｂｗ１，サブ受信機３Ｂｗ２，３Ｂｗ３）を少なくとも有するサブワイヤレスマイクシステム５Ｂとメインワイヤレスマイクシステム５Ａ１との同期を制御するための無線制御信号を繰り返し（例えば定期的に）送信する。
【０１０８】
これにより、複数のワイヤレスマイクシステムのカバーエリアに共存エリアが存在する環境下でも、それぞれのワイヤレスマイクシステム間での無線同期を的確に実現し、それぞれのワイヤレスマイクシステム間での高品質な音声信号の出力を支援する。また、ミキサー受信機の電源がオフされた場合でも、電源給電ユニットからメイン基準受信機の電源電圧が代替的に供給されるので、メイン基準受信機は電源オンの状態を維持でき、自己が含まれるワイヤレスマイクシステムと他のワイヤレスマイクシステムとの無線同期の喪失を回避できる。
【０１０９】
また、メイン基準受信機３Ａｗ１は、メインミキサー受信機８Ａの電源がオンであると判断した場合に、メインミキサー受信機８Ａから供給される電源電圧に基づいて、無線制御信号を繰り返し送信する。これにより、電源給電ユニット１５０を、メインミキサー受信機８Ａの電源がオフした時のバックアップ電源として利用できる。したがって、メインミキサー受信機８Ａの電源が復旧するまでの期間、電源給電ユニット１５０が電源電圧を供給し、メイン基準受信機が無線制御信号を送信し続けられるようにすればよく、給電能力が小さい電源給電ユニット１５０で済ますことができる。したがって、低コストで電源給電ユニット１５０をメインワイヤレスマイクシステム５Ａに追加できる。
【０１１０】
（実施の形態２の変形例１）
図２０は、実施の形態２の変形例１に係るメインワイヤレスマイクシステム５Ａ２の構成を示す図である。実施の形態２の変形例１に係るメインワイヤレスマイクシステム５Ａ２では、実施の形態２に係る電源給電ユニット１５０Ａの構成と異なる電源給電ユニット１５０Ａを有する。
【０１１１】
電源給電ユニット１５０Ａは、電圧生成部１５２で生成される出力電圧の電圧値を可変し、電圧値の異なる出力電圧をメイン基準受信機３Ａｗ１に供給する。電源給電ユニット１５０Ａからメイン基準受信機３Ａｗ１に供給される電源給電電圧が２４Ｖである場合、メイン基準受信機３Ａｗ１の無線制御部３１は、無線部２１で送信される無線出力を高出力（Ｈｉｇｈ）モードに設定する。また、電源給電ユニット１５０Ａからメイン基準受信機３Ａｗ１に供給される電源給電電圧が２０Ｖである場合、メイン基準受信機３Ａｗ１の無線制御部３１は、無線部２１で送信される無線出力を中出力モード（Ｍｉｄｄｌｅ）に設定する。また、電源給電ユニット１５０Ａからメイン基準受信機３Ａｗ１に供給される電源給電電圧が１６Ｖである場合、メイン基準受信機３Ａｗ１の無線制御部３１は、無線部２１で送信される無線出力を低出力（Ｌｏｗ）モードに設定する。
【０１１２】
図２１は、電源給電ユニット１５０Ａの構成を示す図である。電源給電ユニット１５０Ａは、上述した電源給電ユニット１５０の構成に加え、出力電圧設定部１５８、フィードバック回路ｆｂ２，ｆｂ３，…，ｆｂｎ、及びスイッチＳＷ２，ＳＷ３，…，ＳＷｎを含む構成を有する。ｎの値は任意であり、ここではｎが値４である場合を示す。
【０１１３】
例えば、スイッチＳＷ２がオンである場合、電圧生成部１５２のフィードバック抵抗は、フィードバック回路ｆｂ１とフィードバック回路ｆｂ２の合成抵抗となる。この場合、電圧生成部１５２は、電源供給電圧２４Ｖを供給する。また、スイッチＳＷ３がオンである場合、電圧生成部１５２のフィードバック抵抗は、フィードバック回路ｆｂ１とフィードバック回路ｆｂ３の合成抵抗となる。この場合、電圧生成部１５２は、電源供給電圧２０Ｖを供給する。また、スイッチＳＷｎ（ｎ＝４）がオンである場合、電圧生成部１５２のフィードバック抵抗は、フィードバック回路ｆｂ１とフィードバック回路ｆｂｎ（ｎ＝４）の合成抵抗となる。この場合、電圧生成部１５２は、電源供給電圧１６Ｖを供給する。
【０１１４】
図２２は、メイン基準受信機３Ａｗ１の動作手順を示すフローチャートである。メイン基準受信機３Ａｗ１の制御部２０は、メインミキサー受信機８Ａと接続状態にあるか否か（つまり、メインミキサー受信機８Ａが電源オンの状態にあるか否か）を判別する（Ｓｔ４１）。メインミキサー受信機８Ａが電源オンである場合、制御部２０は、メインミキサー受信機８Ａからの制御情報にしたがって、無線制御信号の送信電力（信号送信レベル）を決定する（Ｓｔ４２）。この後、制御部２０は図２２に示す処理を終了する。
【０１１５】
ステップＳｔ４１でメインミキサー受信機８Ａが電源オフである場合、制御部２０は、電源給電ユニット１５０Ａの供給電圧を測定する（Ｓｔ４３）。制御部２０は、測定した供給電圧が閾値Ｖｔ１以上であるか否かを判別する（Ｓｔ４４）。閾値Ｖｔ１は、電圧２４Ｖ〜２０Ｖの間で設定された電圧である。
【０１１６】
閾値Ｖｔ１以上である場合、電源供給電圧２４Ｖであるので、制御部２０は、閾値Ｖｔ１に対応した高出力（Ｈｉｇｈ）モードに送信電力を決定する（Ｓｔ４５）。この後、制御部２０の処理はステップＳｔ４１に戻る。ステップＳｔ４４で、測定した供給電圧が閾値Ｖｔ１未満である場合、制御部２０は、測定した供給電圧が閾値Ｖｔ２以上であるか否かを判別する（Ｓｔ４６）。閾値Ｖｔ２は、電圧２０Ｖ〜１６Ｖの間で設定された電圧である。閾値Ｖｔ２以上である場合、電源供給電圧２０Ｖであるので、制御部２０は、閾値Ｖｔ２に対応した中出力（Ｍｉｄｄｌｅ）モードに送信電力を決定する（Ｓｔ４７）。この後、制御部２０はステップＳｔ４１の処理に戻る。
【０１１７】
また、ステップＳｔ４６で、測定した供給電圧が閾値Ｖｔ２未満である場合、制御部２０は、測定した供給電圧が閾値Ｖｔｎ（ｎ＝３）以上であるか否かを判別する（Ｓｔ４８）。閾値Ｖｔｎは、電圧１６Ｖ〜１０Ｖの間で設定された電圧である。閾値Ｖｔｎ以上である場合、電源供給電圧１６Ｖであるので、制御部２０は、閾値Ｖｔ２に対応した低出力（Ｌｏｗ）モードに送信電力を決定する（Ｓｔ４９）。この後、制御部２０の処理はステップＳｔ４１に戻る。ステップＳｔ４８で閾値Ｖｔｎ未満である場合、制御部２０は、電源給電ユニット１５０の供給電圧が異常であるとして、無線制御信号の送信を停止する（Ｓｔ５０）。供給電圧の異常は、例えば、電源給電ユニット１５０Ａの動作不良、電線１４６の断線等が挙げられる。この後、制御部２０の処理はステップＳｔ４１に戻る。
【０１１８】
以上により、実施の形態２の変形例１におけるメインワイヤレスマイクシステム５Ａ２では、メイン基準受信機３Ａｗは、自己への供給電圧を監視するとともに、供給電圧の値に応じて、無線制御信号の信号出力レベルを決定する。これにより、メイン基準受信機は、電源給電ユニットの給電能力に合わせた信号出力レベルで無線制御信号を継続できる。したがって、多様な電源給電ユニットを採用することができる。また、電源給電ユニットは、メイン基準受信機の信号出力レベルに合わせて供給電圧を可変することができ、必要以上の電圧をメイン基準受信機に供給しなくても済ますことができる。したがって、電源給電ユニットを、多くのメイン基準受信機に対応可能な汎用性のあるものにできる。
【０１１９】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【０１２０】
例えば、上述した実施の形態では、前述したように、ＤＥＣＴ方式の無線通信の１フレーム期間において、前半（ダウンリンク用）のスロットＳ０〜Ｓ１１に対し、キャリアかつスロット毎に無線処理部とマイク子機を通信チャネル及び制御チャネルに対応付けることを示した。後半（アップリンク用）のスロットＳ１２〜Ｓ２３に対しても、同様に、キャリアかつスロット毎に無線処理部とマイク子機を通信チャネルに対応付けてもよい。
【０１２１】
また、上述した実施の形態では、通信方式として、周波数帯１．９ＧＨｚのＤＥＣＴが用いられたが、この周波数帯及び通信規格に限らず、周波数帯２．４ＧＨｚの無線ＬＡＮ等の通信方式が用いられてもよい。
【産業上の利用可能性】
【０１２２】
本開示は、複数のワイヤレスマイクシステムのカバーエリアに共存エリアが存在する環境下でも、それぞれのワイヤレスマイクシステム間での無線同期を的確に実現し、それぞれのワイヤレスマイクシステム間での高品質な音声信号の出力を支援するワイヤレスマイクシステム、受信機及び無線同期方法として有用である。
【符号の説明】
【０１２３】
２  マイク子機
３  受信機
３Ａｗ１  メイン基準受信機
３Ａｗ２、３Ａｗ３  メイン受信機
３Ｂｗ１、３Ｃｗ１  サブ基準受信機
３Ｂｗ２、３Ｂｗ３、３Ｃｗ２、３Ｃｗ３  サブ受信機
５  ワイヤレスマイクシステム
５Ａ  メインワイヤレスマイクシステム
５Ｂ、５Ｃ  サブワイヤレスマイクシステム
８  ミキサー受信機
８Ａ  メインミキサー受信機
８Ｂ、８Ｃ  サブミキサー受信機
２０  制御部
８０  ミキサー制御部
１５０、１５０Ａ  電源給電ユニット
【図１】
2019149645.tif 000003
【図２】
2019149645.tif 000004
【図３】
2019149645.tif 000005
【図４】
2019149645.tif 000006
【図５】
2019149645.tif 000007
【図６】
2019149645.tif 000008
【図７】
2019149645.tif 000009
【図８】
2019149645.tif 000010
【図９】
2019149645.tif 000011
【図１０】
2019149645.tif 000012
【図１１】
2019149645.tif 000013
【図１２】
2019149645.tif 000014
【図１３】
2019149645.tif 000015
【図１４】
2019149645.tif 000016
【図１５】
2019149645.tif 000017
【図１６】
2019149645.tif 000018
【図１７】
2019149645.tif 000019
【図１８】
2019149645.tif 000020
【図１９】
2019149645.tif 000021
【図２０】
2019149645.tif 000022
【図２１】
2019149645.tif 000023
【図２２】
2019149645.tif 000024